(57)【要約】【課題】      店舗に備えられた買い物かごを車椅子に後部に容易に着脱でき、携帯可能な買い物かごの吊下げ用具を提供する。【解決手段】  本願発明は、買い物かごＫを保持する保持部１と、上記車椅子Ｃの後部側に取り付けられて保持部１を車椅子Ｃの後部側に吊下げることが可能な吊下げ部２とを備えた買い物かごの車椅子用吊下げ用具１００を提供する。  上記の吊下げ部２は、２本の紐状部材を備える。車椅子の進行方向を前後として、一方の紐状部材の両端部は、保持部に対して左前と左後とに接続され、他方の紐状部材の両端部は、上記の保持部１に対して右前と右後とに接続され、保持部に上記の買い物かごＫを装着することにより、当該買い物かごＫを車椅子Ｃの後部に吊下げることが可能である。【選択図】          図４
2007215576.tif 000002
【特許請求の範囲】
【請求項１】
店舗に備えられた買い物かごを、車椅子に取り付ける用具であって、
上記の買い物かごを保持する保持部と、上記車椅子の後部側に取り付けられて保持部を車椅子の後部側に吊下げることが可能な吊下げ部とを備え、
吊下げ部は、２本の紐状部材を備え、車椅子の進行方向を前後として、一方の紐状部材の両端部は、保持部に対して左前と左後とに接続され、他方の紐状部材の両端部は、保持部に対して右前と右後とに接続され、
保持部に上記の買い物かごを装着することにより、当該買い物かごを車椅子の後部に吊下げる買い物かごの車椅子用吊下げ用具。
【請求項２】
上記の保持部は、上記の買い物かごの外周に嵌められる環状部を備え、
上記の環状部は、環状の紐部と、内部に当該紐部を挿通する挿通部とを備え、挿通部に対して紐部を締め付け或いは緩めることにより、上記買い物かごのサイズに適合するよう環状部の大きさを調整可能としたことを特徴とする請求項１記載の買い物かごの車椅子用吊下げ用具。
【請求項３】
上記の挿通部の左前には、紐部を引き出す左前引出部が設けられ、当該挿通部の左後には、上記左前引出部から引き出された紐部を挿通部内に収める左後引出部が設けられ、当該挿通部の右前には、紐部を引き出す右前引出部が設けられ、当該挿通部の右後には、上記右前引出部から引き出された紐部を挿通部内に収める右後引出部が設けられ、
紐部の、上記左前引出部及び左後引出部の間にて引き出された部位と、上記右前引出部及び右後引出部との間にて引き出された部位とが、夫々上記の吊下げ部を構成するものであることを特徴とする請求項２記載の買い物かごの車椅子用吊下げ用具。
【請求項４】
上記の環状部には、緩衝部が設けられ、当該緩衝部は、使用時において、装着された買い物かごよりも前方に位置するものであり、
緩衝部は、環状部表面において挿通部の底部に設けられた基体部と、基体部より下方に設けられたクッション部と、当該クッション部と上記基体部との間に設けられた柔軟部とを備え、
柔軟部は、少なくともクッション部よりも、変形し易いものであり、
柔軟部にて、緩衝部を、買い物かごの前方から上方に向けて曲げることができ、クッション部を買い物かごより上方に突出させることが可能なことを特徴する請求項２又は３に記載の買い物かごの車椅子用吊下げ用具。
【発明の詳細な説明】
【技術分野】
【０００１】
本願発明は、買い物かごの車椅子用吊下げ用具に関する。
【背景技術】
【０００２】
【特許文献１】特許第３０７２５００号公報
【特許文献２】特開平１３−１０４３８２号公報
【０００３】
車椅子に乗る者が、スーパーマーケットにて買い物をする際、店に用意された買い物かごを持ち運ぶのは困難である。このため、例えば、上記特許文献１に示される車椅子用買い物かごが提案されている。
これは、買い物かご本体に、車椅子との接続ベルトを取り付けた籠ホルダーを装着した車椅子用買物籠であって、籠ホルダーが、籠本体の底部から前側部、後側部にかけての覆面を備えると共に、後側部に位置する覆面にクッション材を取り付けたものである。
このようなものは、車椅子から着脱が容易で、買い物かごを固定するための、大掛かりな手段を車椅子に設ける必要がない。
しかし、この特許文献１に示されたものは、車椅子に乗る者が使用することを前提としたものであり、即ち、車椅子の前方の足載せ台に載せるか或いは車椅子に乗る者の膝又は脛に載せて利用するものであり、このため、介護者即ち後方から車椅子を操作する者が、車椅子を押しながら、買い物を行う便について全く考慮されていない。車椅子の前方に配置された買い物かごは、車椅子後方の介護者において利用することができないのである。
【０００４】
一方、車椅子を後方から押す介護者が、買い物を行う際の便を考慮したものとて、上記特許文献２に示すものがある。
これは、車椅子の後部にフレームにて構成された載置台を取り付けて、当該載置台の上に、上記の買い物かごを載置するものである。これにて、車椅子の後方に、買い物かごを置くことができ、介護者が車椅子を操作しながら、店で買い物をすることができる。
しかし、大掛かりな載置台を当初より車椅子に取り付けておく必要があり、簡単に着脱できるものではない。また、仮に着脱が容易に行えるとしても、上記の大掛かりな載置台を、介護者が必要なときのみ車椅子に装着し、それ以外は外して持ちまわるということは困難である。
【発明の開示】
【発明が解決しようとする課題】
【０００５】
そこで本願発明は、店舗に備えられた買い物かごを車椅子に後部に容易に着脱できる買い物かごの吊下げ用具を提供する。また、本願発明は、このような吊下げ用具について、携帯可能なものを提供する。
【課題を解決するための手段】
【０００６】
本願第１の発明は、店舗に備えられた買い物かごＫを、車椅子Ｃに取り付ける用具であって、上記の買い物かごＫを保持する保持部１と、上記車椅子Ｃの後部側に取り付けられて保持部１を車椅子Ｃの後部側に吊下げることが可能な吊下げ部２とを備えた買い物かごの車椅子用吊下げ用具１００を提供する。
上記の吊下げ部２は、２本の紐状部材を備える。車椅子の進行方向を前後として、一方の紐状部材の両端部は、保持部に対して左前と左後とに接続され、他方の紐状部材の両端部は、上記の保持部１に対して右前と右後とに接続され、保持部に上記の買い物かごＫを装着することにより、当該買い物かごＫを車椅子Ｃの後部に吊下げることが可能である。
【０００７】
本願第２の発明は、上記本願第１の発明にあって、次の構成を備えた買い物かごの車椅子用吊下げ用具を提供する。
即ち、上記の保持部１は、上記の買い物かごの外周に嵌められる環状部１１を備える。上記の環状部１１は、環状の紐部２０と、内部に当該紐部２０を挿通する挿通部１０とを備え、挿通部１０に対して紐部２０を締め付け或いは緩めることにより、上記買い物かごＫのサイズに適合するよう環状部１１の大きさを調整することが可能である。
【０００８】
本願第３の発明は、上記本願第２の発明にあって、次の構成を備えた買い物かごの車椅子用吊下げ用具を提供する。
即ち、上記の挿通部１０の左前には、紐部２０を引き出す左前引出部４ａが設けられ、当該挿通部１０の左後には、上記左前引出部４ａから引き出された紐部２０を挿通部１０内に収める左後引出部５ａが設けられ、当該挿通部１０の右前には、紐部２０を引き出す右前引出部４ａが設けられ、当該挿通部１０の右後には、上記右前引出部４ｂから引き出された紐部２０を挿通部１０内に収める右後引出部５ｂが設けられている。
紐部２０の、上記左前引出部４ａ及び左後引出部５ａの間にて引き出された部位と、上記右前引出部４ｂ及び右後引出部５ｂとの間にて引き出された部位とが、夫々上記の吊下げ部２，２を構成する。
【０００９】
本願第４の発明は、上記本願第２又は第３の発明にあって、次の構成を備えた買い物かごの車椅子用吊下げ用具を提供する。
即ち、上記の環状部１１には、緩衝部３が設けられている。当該緩衝部３は、使用時において、装着された買い物かごＫよりも前方に位置する。当該緩衝部３は、環状部１１表面において挿通部１０の底部に設けられた基体部３１と、基体部３１より下方に設けられたクッション部３３と、当該クッション部３３と上記基体部３１との間に設けられた柔軟部３２とを備える。上記の柔軟部３２は、少なくともクッション部３３よりも、変形し易いものであり、当該柔軟部３２にて、緩衝部３を、買い物かごＫの前方から上方に向けて曲げることができ、クッション部３３を買い物かごより上方に突出させることが可能である。
【発明の効果】
【００１０】
本願の第１〜４の各発明は、スーパーマーケットなどの店に備えられた買い物かごを吊下げることにより、足置きや車椅子に乗るものの膝や脛を利用することができない車椅子の後部に、買い物かごを簡便に配置することを可能として、車椅子の後方にて車椅子を操作する介護者の買い物の便を向上した。特に、折り畳み可能で携帯が容易であり、また、車椅子に着脱が容易な、買い物かごの吊下げ用具を提供した。
また、吊下げ部を構成する紐状部材の端部を保持の前後に配置することにより、紐状体の車椅子への、例えば車椅子の後方のハンドルなどへ引掛ける位置を紐状部材の両端間で調整することができ、吊下げ状態において、買い物かごの水平状態の確保が容易となる。
【００１１】
本願第２の発明は、店によって、サイズが異なる買い物かごに対して、容易に適合させることが可能な買い物かごの吊下げ用具を提供した。特に本願第３の発明では、そのような適合のための手段を吊下げのための手段とを兼用することによって、構造をより簡略なものとして、製造工程を低減し、また、使用しないとき携帯し易い、買い物かごの車椅子用吊下げ用具を提供した。
本願第４の発明によって、クッション部により、買い物かごの前方上端が、車椅子の背凭れに当接した際、車椅子に乗る者の背中への衝撃を緩和することができる。
【発明を実施するための最良の形態】
【００１２】
以下、図面を参照しつつ、本願発明の好ましい実施の形態について、説明する。図１乃至図４へ本願発明の一実施の形態を示す。図１（Ａ）は本願発明に係る買い物かごの車椅子用吊下げ用具の平面図であり、図１（Ｂ）はその正面図である。図２（Ａ）は上記吊下げ用具の側面図であり、図２（Ｂ）はその背面図である。図３（Ａ）は上記吊下げ用具の要部説明であり、図３（Ｂ）及び図３（Ｃ）は緩衝部を説明する一部切欠略側面図である。
図４は、上記吊下げ用具の使用状態を示す斜視図である。
各図において、説明の便宜上、車椅子を基準として、Ｕは上方を、Ｓは下方を、Ｆは前方（車椅子の前進方向）を、Ｂは後方（車椅子の後退方向）を、Ｌは左側を、Ｒは右側を、夫々示すものとする。
【００１３】
図１へ示す通り、この買い物かごの車椅子用吊下げ用具１００は、店舗に備えられた買い物かごＫ（図４）を、車椅子Ｃ（図４）取り付ける用具であって、上記の買い物かごＫを保持する保持部１と、上記車椅子Ｃの後部側に取り付けられて当該保持部１を車椅子Ｃの後部側に吊下げることが可能な吊下げ部２とを備える。
以下、各部の構成について、詳しく説明する。
【００１４】
図１及び図２へ示す通り、上記の保持部１は、紐状体を環状にした環状部１１と、この環状部１１に設けられた底受部１２と、環状部に設けられた緩衝部３とを備える。
上記の環状部１１を構成する紐状体は、買い物かごＫの外周に嵌めることが可能な長さを備える。
この環状部１１は、環状の紐部２０と、当該紐部２０を摺動可能に挿通する挿通部１０とを備え、挿通部１０に対して紐部２０を締め付け或いは緩めることにより、上記買い物かごのサイズに適合するよう環状部の大きさを調整することが可能である。具体的には、上記の挿通部１０は、紐部２０を通す穴を備えた生地である。
この実施の形態において、挿通部１０は、布或いは皮などの柔軟な素材でできた筒状の紐部材を環状に形成したものである。当該布や皮には、天然の素材や繊維のほか、合成繊維や合成皮革を採用することができる。このような筒状の挿通部１０の内部に、上記の紐部２０が挿通部１０に対して、摺動可能に収容されている。環状の紐部２０は、上記の環状の筒である挿通部１０に沿って、当該挿通部１０内に収容されている。
このように、上記の挿通部１０は、当該挿通部１０に対し摺動可能に紐部２０を保持するものである。従って、挿通部１０を上記の筒状に限定するものではなく、当該挿通部１０を、生地の表裏に貫通し且つ環状に配列された複数の穴を備えた生地とし、当該穴を出入りするように、即ち生地を縫うように、紐部２０が通されるものであっても実施可能である。
【００１５】
上記の紐部２０と挿通部１０とが、巾着構造を採る。具体的には、図３（Ａ）へ示す通り、紐部２０は、環状に形成された２本の紐２０ａ，２０ｂを重ねて一つの輪としたものであり、尚且つ、両紐２０ａ，２０ｂ同士は、外れないように交差して掛かり合っている。
但し、このような２本の紐２０ａ，２０ｂにて、紐部２０を二重の輪としたものに限定するものではなく、一本の紐を環状にして紐部２０として実施することも可能である。
上記の紐部２０（紐２０ａ，２０ｂの夫々）には、締結具２１が設けられている。この締結具２１は、２本の紐の両端同士を締結して、１本の環状の紐（紐２０ａ，２０ｂ）とするものであり、また、締結する位置を調整することが可能で、１本の紐を環状にすることによって形成された輪の大きさを調整することができる。
このような締結具２１，２１には、根付のように、紐を通す穴が設けられただけのものであってもよいが、バネを備えた押圧機構を当該穴内に備えて紐のズレを防止することが可能な、周知の締結具を採用するのが好ましい。
【００１６】
図１（Ａ）へ示す通り、挿通部１０の左前には、紐部２０を引き出す左前引出部４ａが設けられ、当該挿通部１０の左後には、上記左前引出部４ａから引き出された紐部２０を挿通部１０内に収める左後引出部５ａが設けられている。
また、図１（Ａ）へ示す通り、上記の挿通部１０の右前には、紐部２０を引き出す右前引出部４ｂが設けられ、当該挿通部１０の右後には、上記右前引出部４ｂから引き出された紐部２０を挿通部１０内に収める右後引出部５ｂが設けられている。
【００１７】
この実施の形態では、図３（Ａ）へ示す紐２０ａが、上記の左前引出部４ａから挿通部１０の外部に引き出され、上記の左後引出部５ａから再び挿通部１０内部に挿入されている。また、図３（Ａ）へ示す紐２０ｂが、上記の右前引出部４ｂから挿通部１０の外部に引き出され、上記の右後引出部５ｂから再び挿通部１０内部に挿入されている。
そして、この実施の形態において、紐部２０の、上記前方の引出部４ａ，４ｂと後方の引出部５ａ，５ｂとの間にて引き出された部位が、上記の吊下げ部２，２を構成する。
環状部１１に買い物かごＫを装着した状態において、上記の左前引出部４ａと左後引出部５ａとは、買い物かごＫの左側に位置するよう環状部１１に形成されており、上記の右前引出部４ｂと右後引出部５ｂとは、買い物かごＫの右側に位置するよう環状部１１に形成されている。
上記の挿通部１０に対する紐部２０各部の配置について、より詳しく説明すると、紐部２０の一方の紐２０ａは、左前引出部４ａから挿通部１１内に入り、左前引出部４ａと右前引出部４ｂとの間、当該右前引出部４ｂと右後挿入部５ｂとの間、及び当該右後引出部５ｂと左後引出部５ａとの間において、挿通部１１内を通り、当該左後引出部５ａから挿通部１１の外部へ引き出されている。そして紐２０ａは、その両端が接続され、環状とされる。
紐部２０の他方の紐２０ｂは、右前引出部４ｂから挿通部１１内に入り、右前引出部４ｂと左前引出部４ａとの間、当該左前引出部４ａと左後挿入部５ａとの間、及び当該左後引出部５ａと右後引出部５ｂとの間において、挿通部１１内を通り、当該右後引出部５ｂから挿通部１１の外部へ引き出されている。そして紐２０ｂは、その両端が接続され、環状とされる。
このため、紐部２０の一方の紐２０ａは、左前引出部４ａと左後引出部５ａとの間において、挿通部１０の外部に露出し、他の区間においては、挿通部１０の内部に収容されている（左前引出部４ａと左後引出部５ａとの間において挿通部１０から露出するのは、当該一方の紐２０ａのみであり、他方の紐２０ｂは露出しない）。また、他紐部２０の他方の紐２０ｂは、右前引出部４ｂと右後引出部５ｂとの間において、挿通部１０の外部に露出し、他の区間においては、挿通部１０の内部に収容されている（右前引出部４ｂと右後引出部５ｂとの間において挿通部１０から露出するのは、当該他方の紐２０ｂのみであり、上記の一方の紐２０ａは露出しない）。
【００１８】
また、この実施の形態に限らず、吊下げ部２を構成する左右の紐状部材について、左側の紐状部材の一端は環状部１１の左前に、当該左側の紐状部材の他の一端は環状部１１の左後に設けられ、右側の紐状部材の一端は環状部１１の右前に、当該右側の紐状部材の他の一端は環状部１１の右後に設けられるのであるが、上記左前と左後の間隔ｗ、及び、上記の右前と右後の間隔ｗは、吊下げる買い物かごの水平を保つために最低限必要とし、且つ、買い物かごの前後の幅を超えないものとする。即ち、当該間隔ｗは、１０〜３０ｃｍとする。
このことを、上記の実施の形態において、説明すると、挿通部１０の、左前引出部４ａと、左後引出部５ａとの間の間隔ｗ、及び、右前引出部４ａと、左後引出部５ａとの間の間隔ｗを、上記の通り、１０〜３０ｃｍとするものである。このような前後の間隔ｗが設定されている点において、上記吊下げ用具１００が採用する巾着構造は、紐を引き出す引出部と紐を挿入する引出部とを１つで兼ねる通常の巾着構造と異なる。
尚、このように紐部２０が吊下げ部２を兼ねるものに限定するものではなく、紐部２０と別に形成された、吊下げ部２を挿通部１０の表面に設けるものとしても実施可能である。
【００１９】
上記の底受部１２は、上記挿通部１０の少なくとも２箇所に設けられ挿通部１０より下方に垂下する垂下部と、当該垂下部の先端を結合する連結部とを備える。例えば環状部１１に買い物かごＫが装着された状態において、底受部１２の垂下部の夫々は、少なくとも当該買い物かごＫの前面部と後面部とに沿うもの或いは少なくとも買い物かごＫの左側面部と右側面部とに沿うものとし、底受部１２の上記連結部は、買い物かごＫの底部に沿って配置されるものとして実施可能である。
具体的には、上記の底受部１２は、図１（Ａ）へ示す通り、左帯部１２ａと、左帯部１２ａと平行に配置された右帯部１２ｂと、両帯部１２ａ，１２ｂ間に渡され両帯部１２ａ，１２ｂを連結する連結帯部１２ｃとを備える。左帯部１２ａの一端は、挿通部１０の前方側に、左帯部１２ａの他の一端（他端）は、挿通部１０の後方側に接続されている。同様に、右帯部１２ｂの一端は、挿通部１０の前方側に、右帯部１２ｂの他の一端（他端）は、挿通部１０の後方側に接続されている。
このように、左右の両帯部１２ａ，１２ｂとは、環状の挿通部１０の径内にて挿通部１０の前後に渡され（図１（Ａ））、上記の連結帯部１２ｃを最深部として、挿通部１０の下方に垂下する（図２（Ａ））。
上記の構成を採る底受部１２が、買い物かごＫの底部ｋ１（前面部ｋ２及び後面部ｋ３) と対応する部位である。
【００２０】
図１及び図２（Ａ）へ示す通り、上記の緩衝部３は、使用時において、装着された買い物かごよりも前方に位置する。当該緩衝部３は、環状部１１表面において挿通部１０の底部に設けられた基体部３１と、基体部３１より下方に設けられたクッション部３３と、当該クッション部３３と上記基体部３１との間に設けられた柔軟部３２とを備える。上記の柔軟部３２は、少なくともクッション部３３よりも、変形し易いものである。
【００２１】
クッション部３３の素材としては、発泡ウレタンなどのクッション性を有する素材を用いて形成することが可能である。緩衝性に優れ、特に適したものとして、特許第３６４７２３２号に用いられている立体編地を採用するのが好ましい。この体圧分散効果を有する積層された立体編地は、表裏２層の編地と、この２層の編地を連結する複数の連結糸より構成された立体編地である。
このような立体編地を利用したクッション性を有する生地を、上記のクッション部３３に限らず、緩衝部３の他の部位や、挿通部１０、底受部１２の各部に採用するのが好ましい。
【００２２】
この実施の形態において、上記のクッション部３３は、上部に開口部３４を備えた袋状体であり、吊下げ用具１００を使用しないとき、保持部１と吊下げ部２とを内部に収納することができる。このように袋状のクッション部３３内に、吊下げ用具１００の他の部位を収納することにより、コンパクトに纏めることができ、携帯し易いものとし、また他への収納時、省スペース性を向上することができる。
クッション部３３は、袋状に形成されることにより、正面側を構成する生地と、背面側を構成する生地とによって二重になっているが、柔軟部３２は、クッション部３３の正面側の生地のみを上方に延設して構成されることにより、上記の通り、生地が二重のクッション部３３よりも、変形しやすいものとすることができる。尚、クッション部３３を袋状に形成しない場合にあっては、クッション部３３より厚みの薄い生地を柔軟部３２に採用することによって、クッション部３３より変形し易いものとすることができる。但し、厚みの大小ではなく、素材そのものに、クッション部３よりも変形しやすいものを採用して、柔軟部３２を形成することも可能である。
【００２３】
次に、この吊下げ用具１００の使用方法について説明する。
図４へ示すように、この吊下げ用具１００を用いて、スーパーマーケットなどの店に用意された買い物かごＫを、車椅子Ｃの後部に吊下げることができる。
上記の買い物かごＫは、底部ｋ１と、前面部ｋ２と、後面部ｋ３と、左右の側面部ｋ４，ｋ５とを備え、上部開口ｋ６する、樹脂製のものである。開口部ｋ６の縁には、前面部ｋ２の上端から前方へ向けて、左右の側面部ｋ４，ｋ５の上端から左右へ向けて、更に後面部ｋ３の上端から後方へ向けて、夫々突出する鍔状部ｋ７が設けられている。
吊下げ用具１００の環状部１１内に、当該買い物かごＫを装着し、環状部１１を上記の鍔状部ｋ７に引掛ける。前述の通り、挿通部１０から引き出す紐部２０の長さを調整することにより、環状部１１を買い物かごＫのサイズに適合させることができる。上記の底受部１２は、環状部１１に装着された買い物かごＫの底部ｋ１を支持する。具体的には、環状部１１内に買い物かごＫが嵌められた際、上記の底受部１２が、買い物かごＫの、底部ｋ１、前面部ｋ２及び後面部ｋ３とに対応する。尚、底受部１２は、環状部１１から買い物かごＫが脱落するのを防止するものとし、通常は買い物かごＫを専ら環状部１１にて保持するものとして底受部１２に買い物かごＫの荷重が掛からないものとしてもよいし、また、底受部１２が買い物かごＫの荷重を受けるものとしてもよい。
上記の底受部１２は、袋状であっても実施可能である。
【００２４】
上記の買い物かごＫが吊下げられる車椅子Ｃには、普及している一般的なものを利用することができる。即ち、この車椅子Ｃは、車椅子に乗る者が着座する座部ｃ１と、座部ｃ１の後部に設けられた背凭れ部ｃ２と、座部ｃ１及び背凭れ部ｃ２を支持するフレーム本体ｃ３と、フレーム本体ｃ３に軸止された左右の車輪ｃ４，ｃ４と、車輪ｃ４，ｃ４の前方においてフレーム本体ｃ３に設けられた左右のキャスタｃ５，ｃ５と、キャスタｃ５，ｃ５の前方においてフレームに設けられた足置き部ｃ６，ｃ６と、背凭れ部ｃ２の上部に設けられた介護者が操作するための把手ｃ７，ｃ７とを備える。
【００２５】
この実施の形態において、吊下げ用具１００の吊下げ部２，２は、別途のＳ字係止具７，７を利用して車椅子Ｃに取り付けられる。詳しくは、図４へ示す通り、Ｓ字係止具７，７が、吊下げ部２，２に掛けられ、車椅子Ｃの背凭れ部ｃ２の上端部に、吊下げ部２，２を係止する。
但し、吊下げ部２，２の係止位置は、このような背凭れ部ｃ２に限定するものではなく、把手ｃ７，ｃ７に引掛けるものであってもよい。
また、上記のＳ字係止具７，７を用いずに、直接吊下げ部２を把手ｃ７，ｃ７に引掛けるものとしても実施可能である。また、車椅子によっては、介護者が操作するブレーキを備えるものがあり、上記の把手ｃ７，ｃ７と共に、ブレーキレバーを有するものがある。このような車椅子では、ブレーキレバーに吊下げ部２，２を引掛けて吊下げるものとしても実施可能である。
このように、この吊下げ用具１００は、車椅子Ｃの背凭れ部ｃ２や介護者用の把手ｃ７，ｃ７などの車椅子Ｃの座部ｃ１より後方の部材を利用して、買い物かごＫを当該車椅子Ｃの後方に吊下げることができる。
図４に示すように、紐状の吊下げ部２，２の車椅子又は係止具に係止する位置を調整することよって、買い物かごＫの水平を保つように吊下げの支点位置を調整することができる。
【００２６】
通常、車椅子Ｃの上記背凭れ部ｃ２の、車椅子Ｃに乗る者の背中と当接する部位は、布のみで形成されており、後方より当該背凭れ部ｃ２へ買い物かごＫが当ると、車椅子Ｃに乗る者の背中に衝撃や苦痛を与えることになる。このような問題を前述の緩衝部３にて大幅に緩和することができる。
具体的には、前述の通り、上記の柔軟部３２は、少なくともクッション部３３よりも、変形し易いものであり、このため、図３（Ｂ）へ示す通り、当該柔軟部３２にて、緩衝部３を、買い物かごの前方から上方に向けて曲げることができ、クッション部３３を買い物かごより上方に突出させることができる。このようにして、買い物かごＫの上端部を上記背凭れ部ｃ２から被い、買い物かごＫの上端角（鍔部ｋ７）が背凭れ部ｃ２に直接接触するのを防ぎ、背凭れ部ｃ２に与える衝撃を緩和することができる。
図３（Ｃ）へ示す通り、クッション部３３を更に丸めて、クッション部３３の先端を買い物かごＫの中へ挿入しておけば、買い物かごＫが後方に揺動しても、クッション部３３が下方に戻るのを確実に防ぐことができる。
また、上記の（基材部３１及び柔軟部３２と共に）クッション部３３は、環状部１１の下部（環状部１１の表面底部）に設けられていることにより、クッション部３３の上記操作によって、環状部１１が買い物かごＫから外れる恐れがない（例えば、緩衝部３を環状部１１の上部に設けると、買緩衝部３が買い物かごＫの鍔部ｋ７と当接して、上記の操作中に、環状部１１が鍔部ｋ７から外れてしまう恐れがある）。即ち、クッション部３３が、環状部１１の下方側に設けられることにより、環状部１１が、買い物かごＫの鍔部ｋ７からずれ難い。
【００２７】
次に図５を用いて本願発明の他の実施の形態について説明する。
図５（Ａ）へ示す通り、この吊下げ用具１００は、図１〜図４に示す吊下げ用具１００と異なり、環状部１１を持たない。具体的には、保持部１及び左右の帯部１２ａ，１２ｂは、夫々一つの紐状部材８にて構成されている。即ちこの吊下げ用具１００は、左右に配置された２本の紐状部材８，８と、両紐状部８，８との間に渡された連結帯部１２ｃとを備える。両紐状部８，８は、環状に形成され、左右何れか一方から、買い物かごＫが環状の紐状部８，８の中に配置される。この吊下げ部１００において、紐状部８の、買い物かごＫより上方に位置する部分が吊下げ部２であり、吊下げ部２より下方の部分が保持部１である。
この図８（Ａ）に示す実施の形態では、両紐状部８，８は、連結帯部１２ｃにて連結されるものであった。この他、図８（Ｂ）へ示すように、連結帯１２ｃを設けるのではなく、左右の帯状部８，８が、買い物かごＫの底部にて（Ｘ状に）交差するように形成して実施することも可能である。
【００２８】
但し、図８（Ａ）（Ｂ）へ示すものに比べ、環状部１１を備える図１〜図４に示す吊下げ用具１００のほうが、使用時買い物かごＫがずれて、用具１００の左右から脱落するという恐れがない。また、図８（Ａ）（Ｂ）へ示す吊下げ具１００では、吊下げ部２となる部分が、買い物かごＫ内へ買い物を出し入れするのに、邪魔になるが、図１〜図４に示す吊下げ用具１００では、そのようなことはない。
また、上記の各実施の形態において、吊下げ部２，２の夫々は、当初より環状に形成されたものとしたが、起毛面ファスナや、ホック、バックルなどの締結具を用いて、使用時に、紐状部材の両端を接続して、環状にするものとしても実施可能である。
【図面の簡単な説明】
【００２９】
【図１】（Ａ）は本願発明に係る吊下げ用具１００の一実施の形態を示す平面図であり、（Ｂ）はその正面図である。
【図２】（Ａ）は上記吊下げ用具１００の側面図であり、（ｂ）はその背面図である。
【図３】（Ａ）は上記吊下げ用具１００の要部説明図であり、（Ｂ）及び（Ｃ）は緩衝部３の使用の状態を示す一部切欠略側面図である。ある。
【図４】上記吊下げ用具１００の使用状態を示す斜視図である。
【図５】（Ａ）及び（Ｂ）は、夫々吊下げ用具１００の他の実施の形態を示す斜視図である。
【符号の説明】
【００３０】
１  保持部
２  吊下げ部
３  緩衝部
【図１】
2007215576.tif 000003
【図２】
2007215576.tif 000004
【図３】
2007215576.tif 000005
【図４】
2007215576.tif 000006
【図５】
2007215576.tif 000007